(57)【要約】【課題】吸収性物品や排泄に関する印象を向上させることを目的とする。【解決手段】複数の吸収性物品（１）を備えた吸収性物品のパッケージ（１００）であって、前記複数の吸収性物品（１）のうち少なくとも１つは、吸収体（１０）と、所定図柄（６００）の一部となるシール図柄（５６）を備え、前記所定図柄（６００）の他の一部となる台紙図柄（２６０）を備えるシール台紙（２００）に貼付するためのシール部材（５０）と、を有することを特徴とする吸収性物品のパッケージ（１００）である。【選択図】図７
2019085128.tif 000002
【特許請求の範囲】
【請求項１】
複数の吸収性物品を備えた吸収性物品のパッケージであって、
前記複数の吸収性物品のうち少なくとも１つは、
吸収体と、
所定図柄の一部となるシール図柄を備え、前記所定図柄の他の一部となる台紙図柄を備えるシール台紙に貼付するためのシール部材と、
を有することを特徴とする吸収性物品のパッケージ。
【請求項２】
請求項１の吸収性物品のパッケージであって、
前記複数の吸収性物品は、第１吸収性物品と第２吸収性物品を有しており、
前記第１吸収性物品と前記第２吸収性物品は、それぞれ前記シール図柄を備えており、
前記第１吸収性物品の前記シール図柄と、前記第２吸収性物品の前記シール図柄が異なっていることを特徴とする吸収性物品のパッケージ。
【請求項３】
請求項１又は２の吸収性物品のパッケージであって、
前記所定図柄の一部とならない別図柄を備えるシール部材を有することを特徴とする吸収性物品のパッケージ。
【請求項４】
請求項３に記載の吸収性物品のパッケージであって、
前記別図柄は、前記所定図柄とは異なる別所定図柄の一部となる図柄であることを特徴とする吸収性物品のパッケージ。
【請求項５】
請求項１から４のいずれか１項に記載の吸収性物品のパッケージであって、
前記シール台紙には、前記シール部材を貼付する位置を示す表示が設けられていることを特徴とする吸収性物品のパッケージ。
【請求項６】
請求項１から５のいずれか１項に記載の吸収性物品のパッケージであって、
前記シール台紙が前記複数の吸収性物品のパッケージに備えられていることを特徴とする吸収性物品のパッケージ。
【請求項７】
請求項６に記載の吸収性物品のパッケージであって、
前記シール台紙は、前記複数の吸収性物品を包装する包装材に設けられていることを特徴とする吸収性物品のパッケージ。
【請求項８】
請求項１から７のいずれか１項に記載の吸収性物品のパッケージであって、
前記複数の吸収性物品の少なくとも１つは、前記吸収体を備えた吸収性本体と、胴回り部と、前記胴回り部に設けられたテープ部材と、を有し、
前記テープ部材が、前記テープ部材の一端部に設けられたテープ把持部と、他端部に設けられた固定部とを有し、
前記固定部が、前記胴回り部の非肌側面に固定されており、
シール把持部と接着部とを備えるシール部材を有し、
前記シール把持部は、前記シール部材の一端部に設けられ、
前記接着部は、前記シール部材の一端部より他端部側の肌側面に設けられ、
前記接着部が、前記テープ部材に接着されており、
前記シール把持部を把持して前記テープ部材から分離された前記シール部材が、前記接着部において、再接着可能であることを特徴とする吸収性物品のパッケージ。
【請求項９】
請求項１から８のいずれか１項の吸収性物品のパッケージであって、
前記吸収性物品のパッケージから前記シール部材を備えた吸収性物品を取り出して自然状態にした状態において、
前記シール部材の非肌側の面は、全体が前記非肌側に露出していることを特徴とする吸収性物品のパッケージ。
【請求項１０】
請求項８又は９に記載の吸収性物品のパッケージであって、
前記複数の吸収性物品は、上下方向と左右方向とを有しており、
前記シール部材の前記上下方向の長さが、前記テープ部材の前記上下方向より短いことを特徴とする吸収性物品のパッケージ。
【請求項１１】
請求項８から１０のいずれか１項に記載の吸収性物品のパッケージであって、
前記複数の吸収性物品は、上下方向と、左右方向と、前記上下方向及び前記左右方向と直交する前後方向とを有し、
前記テープ把持部と前記シール把持部は、前記上下方向において、少なくとも一部で重なっていないことを特徴とする吸収性物品のパッケージ。
【請求項１２】
請求項８から１１のいずれか１項に記載の吸収性物品のパッケージであって、
前記テープ部材の他端部から前記テープ部材の一端部に向かう方向と前記シール部材の他端部から前記シール部材の一端部に向かう方向が同じであることを特徴とする吸収性物品のパッケージ。
【請求項１３】
吸収体と、
所定図柄の一部となるシール図柄を備え、前記所定図柄の他の一部となる台紙図柄を有するシール台紙に貼付するためのシール部材と、
を有することを特徴とする吸収性物品。
【発明の詳細な説明】
【技術分野】
【０００１】
本発明は、吸収性物品のパッケージ及び吸収性物品に関する。
【背景技術】
【０００２】
乳幼児は、成長の過程において、おむつの着用から、トイレで排泄ができるようにトレーニングを行う。乳幼児のトイレトレーニングを支援する補助用具として、例えば、特許文献１には、小冊子２０に排泄動作を行うキャラクターを示して、子供に排泄動作を思い出させ、子供が排泄や手洗い等の排泄動作を行ったことのご褒美として、小冊子２０の成功表示エリアにシール５７、６７を貼らせる等、成功表示手段を配置させることが可能な排泄訓練キットが開示されている。
【先行技術文献】
【特許文献】
【０００３】
【特許文献１】特表２００７−５３１９１１号公報
【発明の概要】
【発明が解決しようとする課題】
【０００４】
しかしながら、特許文献１のような排泄訓練キットでは、子供が排泄動作を思い出さなないまま、単にシールを貼る行為に夢中になってしまい、排泄訓練を行う動機づけに必ずしもならない恐れがあった。
【０００５】
本発明は、上記のような問題に鑑みてなされたものであって、吸収性物品等に対する印象を向上させ、排泄に関する印象をより楽しいものにすることができる吸収性物品を提供することを目的とする。
【課題を解決するための手段】
【０００６】
上記目的を達成するための主たる発明は、複数の吸収性物品を備えた吸収性物品のパッケージであって、前記複数の吸収性物品のうち少なくとも１つは、吸収体と、所定図柄の一部となるシール図柄を備え、前記所定図柄の他の一部となる台紙図柄を備えるシール台紙に貼付するためのシール部材と、を有することを特徴とする吸収性物品のパッケージである。
本発明の他の特徴については、本明細書及び添付図面の記載により明らかにする。
【発明の効果】
【０００７】
本発明によれば、乳幼児等の吸収性物品の着用者等は、吸収性物品に設けられた、所定図柄の一部となるシール図柄を備えたシール部材を、所定図柄の他の一部となる台紙図柄を備えるシール台紙に貼ることで、台紙図柄にシール図柄を組み合わせる行為を楽しむことができるため、吸収性物品の印象を向上させ、排泄に関する印象をより楽しいものにさせやすくすることができる。
【図面の簡単な説明】
【０００８】
【図１】図１は、本実施形態のおむつ１を背側から見た概略斜視図である。
【図２】図２Ａは、図１中のＢ−Ｂ断面図である。図２Ｂは、図２Ａのテープ部材４０からシール部材５０を分離した状態を示す断面図である。
【図３】図３Ａは、図２Ｂの状態のおむつ１を背側から見た概略斜視図である。図３Ｂは、図３Ａの状態のおむつ１を丸めて廃棄処理状態にした様子を示す概略斜視図である。
【図４】図４Ａは、おむつ１ａのテープ部材４０ａ及びシール部材５０ａを背側から見た正面図である。図４Ｂは、おむつ１ｂのテープ部材４０ｂ及びシール部材５０ｂを背側から見た正面図である。図４Ｃは、おむつ１ｃのテープ部材４０ｃ及びシール部材５０ｃを背側から見た正面図である。
【図５】図５は、パッケージ１００の概略斜視図である。
【図６】図６は、シール台紙２００を説明する図である。
【図７】図７は、動物園図柄６００を説明する図である。
【図８】図８は、本実施形態の変形例を説明する図である。
【図９】図９Ａは、おむつ１ｓのテープ部材４０ｓ及びシール部材５０ｓを背側から見た正面図である。図９Ｂは、おむつ１ｔのテープ部材４０ｔ及びシール部材５０ｔを背側から見た正面図である。図９Ｃは、おむつ１ｕのテープ部材４０ｕ及びシール部材５０ｕを背側から見た正面図である。
【図１０】図１０は、シール台紙２７０を説明する図である。
【図１１】図１１は、地図図柄７００を説明する図である。
【図１２】図１２Ａは、おむつ１のＢ−Ｂ断面図に該当する部分の他の実施形態１を説明する図である。図１２Ｂは、おむつ１のＢ−Ｂ断面図に該当する部分の他の実施形態２を説明する図である。図１２Ｃは、おむつ１のＢ−Ｂ断面図に該当する部分の他の実施形態３を説明する図である。
【図１３】図１３は、他の実施形態４を説明する図である。
【発明を実施するための形態】
【０００９】
本明細書及び添付図面の記載により、少なくとも以下の事項が明らかとなる。
複数の吸収性物品を備えた吸収性物品のパッケージであって、前記複数の吸収性物品のうち少なくとも１つは、吸収体と、所定図柄の一部となるシール図柄を備え、前記所定図柄の他の一部となる台紙図柄を備えるシール台紙に貼付するためのシール部材と、を有することを特徴とする吸収性物品のパッケージである。
【００１０】
このような吸収性物品のパッケージによれば、乳幼児等の吸収性物品の着用者等は、吸収性物品に設けられた、所定図柄の一部となるシール図柄を備えたシール部材を、所定図柄の他の一部となる台紙図柄を備えるシール台紙に貼ることで、台紙図柄にシール図柄を組み合わせる行為を楽しむことができるため、吸収性物品の印象を向上させ、排泄に関する印象をより楽しいものにさせやすくすることができる。
【００１１】
かかる吸収性物品のパッケージであって、前記複数の吸収性物品は、第１吸収性物品と第２吸収性物品を有しており、前記第１吸収性物品と前記第２吸収性物品は、それぞれ前記シール図柄を備えており、前記第１吸収性物品の前記シール図柄と、前記第２吸収性物品の前記シール図柄が異なっていることが望ましい。
【００１２】
このような吸収性物品のパッケージによれば、着用者等は、台紙図柄に、異なるシール図柄のシールを組み合わせる行為を楽しむことができる。
【００１３】
かかる吸収性物品のパッケージであって、前記所定図柄の一部とならない別図柄を備えるシール部材を有することが望ましい。
【００１４】
このような吸収性物品のパッケージによれば、着用者等は、シール図柄を備えるシール部材と所定図柄の一部とならない別図柄を備えるシール部材を選択して貼る行為を行うことができるため、楽しみながら所定の図柄を作成することができる。
【００１５】
かかる吸収性物品のパッケージであって、前記別図柄は、前記所定図柄とは異なる別所定図柄の一部となる図柄であることが望ましい。
【００１６】
このような吸収性物品のパッケージによれば、着用者等は、シール図柄を備えるシール部材と所定図柄とならない別図柄を備えるシール部材を選択して貼る行為を行うことができるため、楽しみながら所定の図柄を作成することができる。
【００１７】
かかる吸収性物品のパッケージであって、前記シール台紙には、前記シール部材を貼付する位置を示す表示が設けられていることが望ましい。
【００１８】
このような吸収性物品のパッケージによれば、着用者等は、容易にシール台紙に貼付することができる。
【００１９】
かかる吸収性物品のパッケージであって、前記シール台紙が前記複数の吸収性物品のパッケージに備えられていることが望ましい。
【００２０】
このような吸収性物品のパッケージによれば、着用者や着用させようとする者は、シール台紙を準備する手間を軽減させて、シール部材をシール台紙に貼付することができる。
【００２１】
かかる吸収性物品のパッケージであって、前記シール台紙は、前記複数の吸収性物品を包装する包装材に設けられていることが望ましい。
【００２２】
このような吸収性物品のパッケージによれば、着用者や着用させようとする者は、シール台紙を準備する手間を軽減させて、シール部材をシール台紙に貼付することができる。
【００２３】
かかる吸収性物品のパッケージであって、前記複数の吸収性物品の少なくとも１つは、前記吸収体を備えた吸収性本体と、胴回り部と、前記胴回り部に設けられたテープ部材と、を有し、前記テープ部材が、前記テープ部材の一端部に設けられたテープ把持部と、他端部に設けられた固定部とを有し、前記固定部が、前記胴回り部の非肌側面に固定されており、シール把持部と接着部とを備えるシール部材を有し、前記シール把持部は、前記シール部材の一端部に設けられ、前記接着部は、前記シール部材の一端部より他端部側の肌側面に設けられ、前記接着部が、前記テープ部材に接着されており、前記シール把持部を把持して前記テープ部材から分離された前記シール部材が、前記接着部において、再接着可能であることが望ましい。
【００２４】
このような吸収性物品のパッケージによれば、吸収性物品に備えられたテープ部材にシール部材が接着しているため、着用者である乳幼児は、自分が着用した吸収性物品や、これから着用する吸収性物品に備えられたシール部材を、シール台紙等に貼って楽しむことができるため、吸収性物品の印象を向上させ、排泄に関する印象をより楽しいものにさせやすくすることができる。
【００２５】
かかる吸収性物品のパッケージであって、前記吸収性物品のパッケージから前記シール部材を備えた吸収性物品を取り出して自然状態にした状態において、前記シール部材の非肌側の面は、全体が前記非肌側に露出していることが望ましい。
【００２６】
このような吸収性物品のパッケージによれば、シール部材のみをテープ部材から分離させやすくすることができる。
【００２７】
かかる吸収性物品のパッケージであって、前記複数の吸収性物品は、上下方向と左右方向とを有しており、前記シール部材の前記上下方向の長さが、前記テープ部材の前記上下方向より短いことが望ましい。
【００２８】
このような吸収性物品のパッケージによれば、シール部の接着部をテープ部材に接着しやすくすることができる。
【００２９】
かかる吸収性物品のパッケージであって、前記複数の吸収性物品は、上下方向と、左右方向と、前記上下方向及び前記左右方向と直交する前後方向とを有し、前記テープ把持部と前記シール把持部は、前記上下方向において、少なくとも一部で重なっていないことが望ましい。
【００３０】
このような吸収性物品のパッケージによれば、テープ把持部とシール把持部のそれぞれの把持部を掴みやすくすることができる。
【００３１】
かかる吸収性物品のパッケージであって、前記テープ部材の他端部から前記テープ部材の一端部に向かう方向と前記シール部材の他端部から前記シール部材の一端部に向かう方向が同じであることが望ましい。
【００３２】
このような吸収性物品のパッケージによれば、テープ把持部とシール把持部が同じ方向に設けられるため、それぞれの把持部を掴みやすくすることができる。
【００３３】
吸収体と、
所定図柄の一部となるシール図柄を備え、前記所定図柄の他の一部となる台紙図柄を有するシール台紙に貼付するためのシール部材と、を有することを特徴とする吸収性物品である。
【００３４】
このような吸収性物品によれば、乳幼児等の吸収性物品の着用者等は、吸収性物品に設けられた、所定図柄の一部となるシール図柄を備えたシール部材を、所定図柄の他の一部となる台紙図柄を備えるシール台紙に貼ることで、台紙図柄にシール図柄を組み合わせる行為を楽しむことができるため、吸収性物品の印象を向上させ、排泄に関する印象をより楽しいものにさせやすくすることができる。
【００３５】
＝＝＝実施形態＝＝＝
本発明に係る吸収性物品としてパンツ型の使い捨ておむつ（以下、「おむつ」ともいう。）を例に挙げて説明する。本実施形態のパンツ型の使い捨ておむつの着用対象者を乳幼児として説明するが、大人用としても利用可能である。また、本発明に係るパンツ型の吸収性物品は使い捨ておむつ以外にも、例えば生理用のショーツ型ナプキンとしても利用可能である。以下、おむつ１の着用者を「着用者」又は「乳幼児」ともいい、おむつ１を着用させようとする者を「保護者」ともいう。
【００３６】
＝＝＝パンツ型の使い捨ておむつ１の基本構成＝＝＝
図１Ａは、本実施形態のおむつ１を背側から見た概略斜視図である。図１Ａに示すように、おむつ１は上下方向と左右方向と前後方向とを有し、おむつ１には胴回り開口部ＢＨ及び一対の脚回り開口部ＬＨが形成されている。そして、以下では、このパンツ状態において上下方向の一方側及び他方側を、それぞれ「上側」又は「胴回り開口側」、及び「下側」又は「股下側」ともいう。また、前後方向の一方側及び他方側を、それぞれ「前側」又は「腹側」、及び「背側」又は「後側」ともいい、前後方向において着用者に接触する側を「肌側」、その反対側を「非肌側」ともいう。
【００３７】
おむつ１は、所謂３ピースタイプのパンツ型の使い捨ておむつであり、着用者の股間に配置される吸収性本体１０と、着用者の胴回りを覆う一対の胴回り部２０、３０と、テープ部材４０を有する。吸収性本体１０は、前後方向の肌側から順に、トップシート（不図示）、吸収体１１、バックシート（不図示）、外装シート１２を備えている。トップシートは液透過性シートであればよく、親水性のエアスルー不織布やスパンボンド不織布等を例示できる。バックシート１３は液不透過性シートであればよく、ポリエチレンフィルムやポリプロピレンフィルム等を例示できる。トップシート及びバックシートは吸収体１１全体を覆う大きさとする。外装シート１２は液透過性シートでも液不透過性シートでもよい。
【００３８】
吸収体１１は、平面視長方形状であり、液体を吸収する吸収性コア（不図示）と、吸収性コアの外周面を被覆するコアラップシート（不図示）とを備える。吸収性コアは、液体吸収性素材を、長手方向の中央部がくびれた略砂時計形状に成形したものである。液体吸収性素材としては、パルプ繊維等の液体吸収性繊維に高吸収性ポリマー（所謂ＳＡＰ）等が含有されたものを例示できる。コアラップシートとしては、ティッシュペーパーや不織布等の液透過性シートを例示できる。なお、コアラップシートはなくてもよい。
【００３９】
一対の胴回り部２０、３０は、着用者の腹側を覆う腹側胴回り部２０と背側を覆う背側胴回り部３０である。腹側胴回り部２０及び背側胴回り部３０はそれぞれ、不織布等の柔軟な２枚のシート部材と、左右方向に伸縮する糸ゴム等の複数の弾性部材２２、３２とを備える。複数の弾性部材２２、３２は、それぞれ上下方向に間隔を空けて並んで配されるとともに、左右方向に伸長した状態で２枚のシートの間に固定されている。したがって、腹側胴回り部２０及び背側胴回り部３０は左右方向に伸縮可能であり、着用者の胴回りにフィットする。
【００４０】
テープ部材４０は、背側胴回り部３０の非肌側面に設けられており、おむつ１を廃棄する際に使用される。テープ部材４０の非肌側面には、シール部材５０が接着されている。テープ部材４０及びシール部材５０の詳細は、後述する。
【００４１】
図１に示すパンツ型状態のおむつ１は、吸収性本体１０の腹側上端部の非肌側面と腹側胴回り部２０の肌側面とを接着剤等で接合し、吸収性本体１０の背側上端部の非肌側面と背側胴回り部３０の肌側面とを接着剤等で接合して、腹側胴回り部２０と背側胴回り部３０が対向するように吸収性本体１０を二つ折りして、腹側胴回り部２０の側部と背側胴回り部３０の側部とを接合することによって形成されている。
【００４２】
＝＝＝テープ部材４０及びシール部材５０の構成＝＝＝
図２Ａは、図１中のＢ−Ｂ断面図である。図２Ｂは、図２Ａのテープ部材４０からシール部材５０を分離した状態を示す断面図である。図３Ａは、図２Ｂの状態のおむつ１を背側から見た概略斜視図である。図３Ｂは、図３Ａの状態のおむつ１を丸めて廃棄処理状態にした様子を示す概略斜視図である。図２等の断面図においては、吸収性本体１０を実線で示すべきところ、便宜上、３点鎖線で示している。図３Ａ及び図３Ｂは、弾性部材３２等を省略して簡略化して示している。
【００４３】
図３Ａに示すように、テープ部材４０は、矩形形状の上下方向に沿った長い帯状部材で、背側胴回り部３０の非肌側のシート部材３１の非肌側面に固定部４４で接着剤（不図示）等によって剥離不能に固定されている。テープ部材４０には、テープ本体４１、テープ把持部４２、固定部４４、複数のテープ接着部４５が設けられている。矩形形状のテープ部材４０の長手方向及び短手方向を、それぞれおむつ１の上下方向及び左右方向に沿わせた状態で、テープ部材４０の長手方向の一端部４０ｅにはテープ把持部４２が設けられ、長手方向の他端部４０ｆには固定部４４が設けられている。なお、テープ部材４０の一端側は、おむつ１の上側であり、テープ部材の他端側は、おむつ１の下側である。
【００４４】
テープ部材４０の一端部４０ｅは、図３Ａのように、胴回り開口部ＢＨ側へと延長可能となっている。おむつ１の廃棄処理の際におむつ１をコンパクトな形態にするために、例えば、背側胴回り部３０の左右方向の両端部を腹側に向かってそれぞれ折り畳み、股下側からおむつ１を胴回り開口側に丸めることにより、図３Ｂに示す状態となる。このとき、テープ部材４０を、胴回り開口部ＢＨを超えたおむつの部分１ｐにテープ接着部４５で接着させることによって、おむつ１をコンパクトな形態に維持することができる。
【００４５】
なお、図２Ａ等に示すように、未使用のテープ部材４０は、例えば、長手方向にＺ字状に折り畳まれた状態となっている。テープ本体４１は、Ｚ字状に折り畳まれることで、最も非肌側に位置する第１層４０ｘ、最も肌側に位置する第３層４０ｚ、第１層と第３層の間に位置する第２層４０ｙの３つの層を有している。Ｚ字状に折り畳まれた状態において、第１層４０ｘの肌側面と第２層４０ｙの非肌側面との間、及び第２層４０ｙの肌側面と第３層４０ｚの非肌側面との間は、剥離可能な接着強度を有するテープ接着部４５がそれぞれ設けられている。つまり、複数のテープ接着部４５によって、第１層４０ｘと第２層４０ｙの接着、及び第２層４０ｙと第３層４０ｚの接着は、剥離後に再接着可能な状態となっている。このテープ接着部４５によって、未使用のテープ部材４０は、Ｚ字状の折り畳み状態に仮固定されている。なお、テープ接着部４５は、必ずしも第１層４０ｘの肌側面と第２層４０ｙの非肌側面との間、及び第２層４０ｙの肌側面と第３層４０ｚの非肌側面との間のそれぞれ全域に亘って設ける必要はない。各テープ接着部４５は、未使用のテープ部材４０をＺ字状の折り畳み状態に仮固定することができる接着強度を備えていればよく、任意の接着範囲とすることができる。
【００４６】
そして、図３Ａの２点鎖線のように長手方向（上下方向）にテープ把持部４２を引っ張ると、テープ接着部４５による面同士の密着状態が解除されて、テープ部材４０を上側の胴回り開口部ＢＨの方へ延長することができる。なお、他端部４０ｆの固定部４４には、接着剤による固定に限らず、圧搾や圧着等により固定を行ってもよいし、面ファスナーのフック材等を設けて固定してもよい。
【００４７】
テープ本体４１は、テープ部材４０の基材となる部材であり、ポリエチレンやポリプロピレン等の樹脂素材を例示できる。本実施形態におけるテープ本体４１は、両面に平滑面を有した透明の樹脂素材を用いている。テープ本体４１は、例えば、紙等のパルプ素材でもよく、両面に平滑面を有した形態に限らず、例えば、不織布や織布等の繊維集合体でも良い。ただし、テープ接着部４５の接着によってＺ状に折り畳まれた状態を維持しつつ、テープ部材４０同士の面同士の密着状態を解除することができ、且つ、後述のシール部材５０を再接着可能な状態にすることができるテープ部材４０とするために、ポリエチレンやポリプロピレン等の樹脂素材で、両面に平滑面を有した形態とすることがより好ましい。
【００４８】
テープ把持部４２は、おむつ１の後処理を行う者がテープ部材４０を把持する部分である。テープ把持部４２は、テープ部材４０の端部に設けられており、テープ把持部４２には、テープ把持部材４３が設けられている。詳しくは、テープ本体４１の肌側面に、テープ把持部材４３が接着剤（不図示）等で剥離不能に固定されており、テープ把持部４２の外周面には接着剤が付着していない。テープ把持部材４３は、無色透明のポリエチレンやポリプロピレン等の樹脂素材である。テープ把持部４２は、例えば、単にテープ本体４１の一端部４０ｅに接着剤を設けない部分をテープ把持部４２としてもよいし、テープ本体４１の一端部４０ｅを肌側に折り返してテープ本体４１同士を貼り付けた部分をテープ把持部４２としてもよい。
【００４９】
テープ接着部４５は、全てが接着剤によるものでなくてもよい。例えば、第２層４０ｙと第３層４０ｚとの仮固定は、接着剤の変わりに圧搾や圧着等を行い、第１層４０ｘと第２層４０ｙとの仮固定は、接着剤を用いることにしてもよい。
【００５０】
なお、おむつ１のテープ部材４０自体は、長手方向にほぼ非伸縮としたが、これに限られない。テープ本体４１がゴム等の弾性素材で形成されて、長手方向に伸縮性を有していてもよい。さらに、テープ部材４０は、必ずしもＺ字状に折り畳まなくてもよく、２つ折りのＶ字状でもよいし、４つ折りのＷ字状でも、或いはＷ字状よりも多い折り曲げ回数で折り畳んでもよい。
【００５１】
図２Ａに示すように、シール部材５０は、テープ部材４０の第２層４０ｙの非肌側面に接着部５５を介して接着されている。シール部材５０は、テープ部材４０の第２層４０ｙから分離させて、シール台紙等の身近なものに再接着させることができる所謂シールである。図６は、シール台紙２００を説明する図である。
【００５２】
シール部材５０は、矩形形状のシール本体５１、シール把持部５２、矩形形状のシール把持部材５３及びシール接着部（接着部）５５を備えている。シール部材５０は、テープ部材４０の非肌側面から接着させており、シール部材５０の上下方向の長さを、Ｚ字状に折り畳んだ状態のテープ部材４０の上下方向の長さよりも短くしている。シール部材５０の上下方向の長さが、テープ部材４０の上下方向の長さよりも長い場合と比べて、シール部材５０の接着部５５をテープ部材４０に接着させやすい構成としている。なお、シール部材５０の左右方向の長さは、テープ部材４０の左右方向の長さとほぼ等しい。
【００５３】
シール部材５０は、テープ部材４０の第２層４０ｙに接着され、テープ部材４０の第１層４０ｘと前後方向においてほぼ同じ位置に設けられている。このとき、シール部材５０の下端は、テープ把持部４２の上端よりも上側に位置しており、シール部材５０の下端とテープ部材４０の上端とが接触しておらず、図４Ａにおいて、シール部材５０と第１層４０ｘとの間に第２層４０ｙの一部を視認することができる。
【００５４】
シール本体５１は、テープ本体４１と同様に、両面に平滑面を有したポリエチレンやポリプロピレン等の樹脂素材に、図４Ａのような、所定図柄６００（図７参照）の一部となるシール図柄５６が視認可能な状態で設けられている。所定図柄６００及びシール図柄５６については、後述する。なお、シール本体５１は、例えば、紙等のパルプ素材、不織布や織布等の繊維集合体でも良い。
【００５５】
シール把持部５２は、着用者等がシール部材５０をテープ部材４０から分離させる際に把持する部分である。シール把持部５２は、シール部材５０の一端部に設けられている。なお、シール部材５０の一端側は、おむつ１の上側であり、シール部材５０の他端側は、おむつ１の下側である。シール把持部５２は、テープ把持部４２と同様に、シール部材５０の端部に設けられており、シール把持部５２には、シール把持部材５３が設けられている。詳しくは、シール本体５１の肌側面に、シール把持部材５３が接着剤（不図示）等で剥離不能に固定されており、テープ把持部５２の外周面には接着剤が付着していない。本実施形態におけるシール把持部材５３は、無色透明の樹脂素材である。シール把持部５２は、例えば、単にシール本体５１の一端部５０ｅに接着剤を設けない部分をシール把持部５２としてもよいし、シール本体５１の一端部５０ｅを肌側に折り返してシール本体５１同士を貼り付けた部分をシール把持部５２としてもよい。
【００５６】
シール接着部５５は、シール把持部５２よりも下側で、シール部材５０の一端部よりも他端部側の、シール本体５１の肌側の面に設けられており、剥離可能な接着強度を有している。図２Ａに示すテープ部材４０に接着していたシール部材５０を、図２Ｂに示すように、テープ部材４０から分離させることができる。
【００５７】
仮に、テープ部材４０ではなく、吸収性本体１０や胴回り部２０、３０にシール部材５０を接着させると、シール部材４０が持つ剛性によって、おむつ１の伸縮等の変形を阻害してしまったり、着用者の肌にシール部材５０が触れてしまったりする等、着用者に違和感を生じさせてしまう恐れがある。この点、おむつ１の廃棄処理の際に用いるテープ部材４０にテープ部材５０を設けることで、おむつ１の伸縮等の変形性を低下させる恐れを軽減し、乳幼児の着用時における違和感を低下させることができる。
【００５８】
また、テープ部材４０から分離されたシール部材５０は、シール接着部５５の接着力により再接着が可能であるため、乳幼児は、おむつ１からシール部材５０を掴み、シール台紙２００等にシール部材５０を貼って楽しむことができる。特に、乳幼児は、自分が着用していたおむつ１、又はこれから着用するおむつ１からシール部材５０を取り除いて、シール部材５０を貼るという行為を行うため、行為の起点となるシール部材５０を備えたおむつ１に対して楽しい印象を抱きやすくなり、おむつ１に対してより親しみやすさを感じさせやすくさせることができる。その結果、乳幼児はおむつ１に対して愛着を抱きやすくなり、おむつ１を汚したくないという意識を持ちやすくなって、トイレトレーニングへの意欲を向上させやすくなる。
【００５９】
なお、後述のパッケージ１００からおむつ１を取り出して、自然状態にした状態で、テープ部材４０に接着した状態のシール部材５０の非肌側の面の全体が非肌側に露出していることが好ましい。おむつ１の「自然状態」とは、以下のように定義される。まず、製品として梱包されているおむつ１をパッケージ１００から取り出した後、胴回り部２０、３０を左右方向の両外側に引っ張り、胴回り部２０、３０がそれぞれ各部材単体の寸法と一致又はそれに近い長さになるまで伸長させる。この伸長させた状態を１５秒間継続させた後、おむつ１の伸長させた状態を解除して机等の平面に置く。そして、この平面に置いた状態で５分間経過させた状態がおむつ１の自然状態である。
【００６０】
おむつ１のシール部材５０は、テープ部材４０の第２層４０ｙに接着し、第１層４０ｘと前後方向においてほぼ同じ位置に設けられている。そのため、シール部材５０の非肌側面は、テープ部材４０が重ねられておらず、非肌側にシール部材５０の全体が露出している。これにより、乳幼児等は、テープ部材４０の操作に関わらず、シール部材５０のみをテープ部材４０から分離させやすくすることができる。例えば、トイレトレーニングにおいて、おむつ１を排泄物で汚したりすることなく、トイレで排泄することができた場合には、乳幼児はシール部材５０をご褒美としておむつ１から取り外すことができる一方、テープ部材４０は未使用の状態のまま維持することができるため、おむつ１を継続して着用することが可能となる。
【００６１】
また、テープ把持部４２とシール把持部５２は、上下方向において、少なくとも一部で重なっていないことが好ましい。図２Ａにおいては、テープ把持部４２とシール把持部５２は上下方向で重なっておらず、前後方向でほぼ同じ位置に設けられている。テープ把持部４２とシール把持部５２が上下方向において重なっていないことで、乳幼児や保護者がテープ把持部４１及びシール把持部５２をそれぞれ掴みやすくなる。
【００６２】
さらに、テープ部材４０の他端部４０ｆからテープ部材４０の一端部４０ｅに向かう方向と、シール部材５０の他端部５０ｆからシール部材５０の一端部５０ｅに向かう方向が同じであることが好ましい。つまり、テープ部材４０の第１層４０ｘのうち、テープ把持部４２が上側で、テープ接着部４５が下側に設けられており、シール部材５０のうち、シール把持部５２が上側で、シール接着部５５が下側に設けられている。これによって、テープ把持部４２、シール把持部５２を掴んで、テープ接着部４５、シール接着部５５をそれぞれ上側から下側に向かって（同じ方向に向かって）はがし始めることができる。
【００６３】
なお、おむつ１においては、テープ部材４０にシール部材５０を設けることにしたが、これに限られない。シール部材５０は、おむつ１のテープ部材４０以外に設けてもよい。例えば、胴回り部２０、３０の非肌側面や、吸収性本体１０の非肌側面に設けることができる。シール部材５０を設ける胴回り部２０、３０や吸収性本体１０の表面は、平滑な面であることが好ましいところ、胴回り部材２０、３０や吸収性本体１０の表面に平滑な面を有する別部材を貼付し、その別部材にシール部材５０を設けていてもよい。また、シール部材５０の添付と剥離を繰り返し行うことができる素材を表面に有する胴回り部２０、３０や吸収性本体１０を用いても良い。
【００６４】
＝＝＝複数のおむつ１を備えたパッケージ１００＝＝＝
図５は、パッケージ１００の概略斜視図である。図５に示すように、パッケージ１００は、包装用の包装材１０１に複数のおむつ１、１・・・が収容されたものである。本実施形態においては、１つのパッケージ１００に１０個のおむつ１が収容されている。パッケージ１００に収容された各おむつ１は、それぞれ上述のテープ部材４０及びシール部材５０を備えている。パッケージ１００には、後述のおむつ１ａが３個、おむつ１ｂが３個、おむつ１ｃが４個収容されている。
【００６５】
＝＝＝シール図柄５６について＝＝＝
パッケージ１００に収容された１０個のおむつは、図４Ａ、図４Ｂ及び図４Ｃに示す各テープ部材４０ａ、４０ｂ、４０ｃ及び各シール部材５０ａ、５０ｂ、５０ｃをそれぞれ備えている。図４Ａは、おむつ１ａのテープ部材４０ａ及びシール部材５０ａを背側から見た正面図である。図４Ｂは、おむつ１ｂのテープ部材４０ｂ及びシール部材５０ｂを背側から見た正面図である。図４Ｃは、おむつ１ｃのテープ部材４０ｃ及びシール部材５０ｃを背側から見た正面図である。なお、各おむつ１ａ、１ｂ、１ｃの各テープ部材４０ａ、４０ｂ、４０ｃは、それぞれ無色透明の無地のテープ本体４１を有しているが、各テープ部材４０ａ、４０ｂ、４０ｃに着色や模様等を施していてもよい。図４Ａ、図４Ｂ、図４Ｃに示すように、おむつ１ａのシール部材５０ａには「ぞう」のシール図柄５６ａ、おむつ１ｂのシール部材５０ｂには「さる」のシール図柄５６ｂ、おむつ１ｃには、「うさぎ」のシール図柄５６ｃがそれぞれ設けられている。
【００６６】
＝＝＝シール台紙２００、台紙図柄２６０及び動物園図柄６００について＝＝＝
図６は、シール台紙２００を説明する図である。シール台紙２００は、乳幼児等が上述のシール部材５０等のシールを貼付して楽しむ媒体である。本実施形態において、シール台紙２００は、インターネットのような無線広域ネットワーク（ＷＷＡＮ）を介してシール台紙２００の画像データをダウンロードして、紙や樹脂等の任意の素材に印刷することで、取得することが可能である。
【００６７】
図６に示すように、シール台紙２００は、台紙図柄２６０が設けられている。台紙図柄２６０として、それぞれの「おうち」に入った動物２６１ａ、２６１ｂ、２６１ｃ、２６１ｄ、２６１ｅ、２６１ｆや、『どうぶつえん』と書かれた入口２６２等の動物園をモチーフとした図柄や、１０個の矩形形状の枠２６３が描かれている。おむつ１の着用者である乳幼児やおむつ１を着用させようとする者である保護者等は、台紙図柄２６０によって観念的に動物園の図柄であることを認識することができる。
【００６８】
シール台紙２００の上部で左右方向の中央には、『ぞうさんのいえ』という文字が設けられており、領域Ａは、ぞう２６１ａの家を示し、枠２６３ａが４個設けられている。シール台紙２００の下部で右側には『さるさんのいえ』という文字が設けられており、領域Ｂは、さる２６１ｂの家を示し、枠２６３ｂが３個設けられている。シール台紙２００の下部で左側には、『うさぎさんのいえ』という文字が設けられており、領域Ｃは、うさぎ２６１ｃの家を示し、枠２６３ｃが３個設けられている。さらに、シール台紙２００の左上には、サイ２６１ｄの家を示す領域Ｄと、左上には、ライオン２６１ｅの家を示す領域Ｅと、上下方向の中央で左側には、カバ２６１ｆの家を示す領域Ｆがそれぞれ設けられている。なお、この台紙図柄２６０は、「どうぶつえん」という後述の動物園図柄（所定図柄）６００の一部であり、台紙図柄２６０に設けられた動物の数は、比較的少ない。
【００６９】
以下、具体的に動物園図柄（所定図柄）６００の作成について説明する。乳幼児が、シール部材５０ａ（図４Ａ参照）を備えたおむつ１ａ（第１吸収性物品）を着用しようとする場合、乳幼児は、ぞうのシール図柄６５ａを備えたシール部材５０ａを掴み、おむつ１ａから分離させることができる。なお、おむつ１ａは、パッケージ１００に収容されたおむつ１の１つである。シール部材５０ａを掴む際には、接着剤が付着されていないシール把持部５２を掴むと、シール部材５０ａを他の場所に再接着可能としやすくする。
【００７０】
続いて、乳幼児は、台紙図柄２６０を備えたシール台紙２００にシール部材５０ａを貼る。具体的には、乳幼児は、「ぞう」のシール図柄５６ａを備えたシール部材５０ａを領域Ａ内の枠２６３ａの輪郭に沿うように貼る。このとき、保護者等が『シールの絵はぞうさんだね。ぞうさんのいえはどこかな。』等と乳幼児に問いかけやアドバイスを与えることで、乳幼児と保護者とのコミュニケーションを図ることができる。また、乳幼児にとっては、台紙図柄２６０の中から『ぞうさんのいえ』という文字やぞう２６１ａの図柄を見つけ出すという知育にもなる。
【００７１】
シール台紙２００は、乳幼児によって貼られたシール図柄５６ａと台紙図柄２６０との組み合わせによって、動物園図柄（不図示）が形成される。つまり、１つのシール図柄５６ａと台紙図柄２６０は、動物園図柄６００の一部である。これによって、乳幼児は、シール図柄５６ａと台紙図柄２６０とを組み合わせるという行為を楽しむことができ、自分が貼ったシール部材５０ａによって、動物が少なかった台紙部柄２６０から、動物を増やした動物園図柄を作成することができる。また、このシール図柄５６ａは、乳幼児がこれから着用しようとしているおむつ１ａに備えられていたシール部材５０ａに設けられていたため、乳幼児は、シール部材５０ａに対して楽しい印象を抱くとともに、おむつ１ａに対してもより楽しい印象を与えやすくすることができる。その結果、排泄に関する印象をより向上させやすくすることができる。
【００７２】
また、シール台紙２００には、シール部材５０を貼付する枠２６３が設けられているため、乳幼児はシール部材５０を貼りやすくしている。具体的には、領域Ａには、枠２６３ａが４個設けられている。乳幼児は、領域Ａを『ぞうさんのいえ』であることを認識すると、枠２６３ａがシール５０ａの添付箇所であることを認識しやすくなり、枠２６３ａに収まるようにシール部材５０ａを貼付するように促すことができる。また、複数のシール部材５０ａを貼付する場合でも、シール部材５０ａ同士が重なってしまったり、シール部材５０ａが傾いた状態で貼付されてしまったりする恐れを軽減させやすくなる。
【００７３】
おむつ１ａ（第１吸収性物品）と同様に、パッケージ１００には、「さる」のシール図柄５６ｂを備えたおむつ１ｂ（第２吸収性物品）や、「うさぎ」のシール図柄５６ｃを備えたおむつ１ｃ（第３吸収性物品）が収容されている。例えば、乳幼児がおむつ１ｂを着用しようとする場合に、乳幼児は、シール部材５０ｂを掴み、おむつ１ｂから分離させる。そして、保護者等の問いかけやアドバイス、『さるさんのいえ』という文字や、さる２６１ｂの絵によって、領域Ｂがシール部材５０ｂを貼付する場所であることを認識すると、乳幼児は枠２６３ｂの１つにシール部材５０ｂを貼付する。
【００７４】
シール部材５０ａに加えて、シール部材５０ｂがシール台紙２００貼付されることによって、台紙図柄２６０に、１つのシール図柄５６ａと、１つのシール図柄５６ｂが組み合わされて、新たな動物園図柄（不図示）が作成される。この新たな動物園図柄は、１つのシール部材５０ａのみが台紙図柄２６０と組み合わされた動物園図柄とは異なっており、より動物園図柄内に動物が増えた図柄である。このように、異なるシール図柄５６や同じシール図柄５６を複数個を備えたおむつ１を１つのパッケージ１００内に備えることで、乳幼児は異なるシール図柄５６や複数のシール図柄５６を台紙図柄２６０に組み合わせることができるため、シール部材５０を貼ることをより楽しむことができる。また、パッケージ内に異なるシール図柄５６を備えたおむつ１を備えることで、乳幼児は、新しいおむつを着用しようする際に、異なるシール図柄５６を見ることを楽しむことができる。
【００７５】
図７は、動物園図柄６００を説明する図である。動物園図柄６００は、パッケージ１００に収容された１０個のおむつ１のシール部材５０を全て貼付した状態である。つまり、４つのシール部材５０ａと、３つのシール部材５０ｂと、３つのシール部材５０ｃをシール台紙２００に貼付して、４つのシール図柄５６ａと、３つのシール図柄５６ｂと、３つのシール図柄５６ｃを台紙図柄２６０に組み合わせたものである。乳幼児は、図７に示す動物園図柄６００を見ることで、枠２６３がシール部材５０で埋められたことを認識することができ、その達成を実感することができる。
【００７６】
なお、図７の動物園図柄６００と、上述の１つのシール図柄５０ａと台紙図柄２６０とを組み合わせた動物園図柄と、上述の１つのシール図柄５０ａと１つのシール図柄５０ｂと台紙図柄２６０とを組み合わせた動物園図柄はそれぞれ異なっている。ただし、各動物園図柄も、シール図柄５６と台紙図柄２６０によって得られた図柄であり、乳幼児は、各動物園図柄を見ることで、それぞれの図柄を楽しむことができる。
【００７７】
なお、シール部材５０は必ずしも矩形形状である必要はない。例えば、丸型や星形等、所望の外形形状を有していてもよい。さらに、シール部材５０の外形形状は、必ずしもテープ部材４０の外形形状の内側に収まる必要はない。シール部材５０の上下方向又は左右方向の長さが、テープ部材４０の上下方向又は左右方向の長さよりも長くてもよい。
【００７８】
さらに、シール部材５０の外形形状は、シール図柄５６の輪郭であってもよく、台紙図柄２６０には必ずしも枠２６３を設けなくてもよい。図８は、本実施形態の変形例を説明する図である。図８に示す動物園図柄６５０には、シール部材５０の外形形状がシール図柄５６の輪郭である４個のシール部材５０ａと３個のシール部材５０ｂと３個のシール部材５０ｃがそれぞれ領域Ａ、領域Ｂ、領域Ｃに貼付されている。このようなシール部材５０を用いることで、枠２６３に制限されることなく、シール部材５０を任意の場所に貼ることができるため、シール図柄５６と台紙図柄２６０によって形成される動物園図柄６５０を異なる図柄にすることができるため、動物園図柄６５０を作成することをより楽しむことができる。
【００７９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８０】
上述の実施形態においては、動物園図柄６００を構成するシール図柄５６を備えたおむつ１が収容されたパッケージ１００について説明したが、これに限られない。パッケージ１００に、動物園図柄６００の一部とならない別のシール図柄（別図柄）７６を備えるシール部材５０を有するおむつ１を収容してもよい。図９Ａは、おむつ１ｓのテープ部材４０ｓ及びシール部材５０ｓを背側から見た正面図である。図９Ｂは、おむつ１ｔのテープ部材４０ｔ及びシール部材５０ｔを背側から見た正面図である。図９Ｃは、おむつ１ｕのテープ部材４０ｕ及びシール部材５０ｕを背側から見た正面図である。
【００８１】
図９Ａ、図９Ｂ、図９Ｃに示すように、おむつ１ｓのシール部材５０ｓには、「パトカー」のシール図柄７６ｓ、おむつ１ｔのシール部材５０ｔには、「救急車」のシール図柄７６ｔ、おむつ１ｕのシール部材５０ｕには、「消防車」のシール図柄７６ｕがそれぞれ設けられている。パッケージ１００に、動物園図柄６００を構成するシール図柄５６を備えたおむつ１ａ、１ｂ、１ｃだけでなく、動物園図柄６００を構成しないシール図柄７６を備えたおむつ１ｓ、１ｔ、１ｕが収容されていてもよい。乳幼児は、動物園図柄６００を構成するシール図柄５６を選択して台紙図柄２６０に組み合わせて貼るという行為を楽しむことができるため、より乳幼児の成長に応じて、より高度な楽しみを提供することができる。
【００８２】
さらに、図１０は、シール台紙２７０を説明する図である。シール台紙２７０は、上述のシール台紙２００と同様に、シール部材５０等のシールを貼付して楽しむ媒体であり、インターネットのような無線広域ネットワーク（ＷＷＡＮ）を介してシール台紙２００の画像データをダウンロードして、紙や樹脂等の任意の素材に印刷することで、取得することが可能である。シール台紙２７０には、台紙図柄２８０が設けられている。台紙図柄２８０は、『けいさつしょ』、『びょういん』、『しょうぼうしょ』、その他、家や店等の街並みが設けられている。
【００８３】
おむつ１ｓを着用しようとする乳幼児は、シール部材５０ｓを掴んでおむつ１ｓから分離させて、シール台紙２７０に貼ることができる。つまり、おむつ１ａ、１ｂ、１ｃのいずれかを着用とする場合には、シール部材５０をシール台紙２００に貼り、おむつ１ｓ、１ｔ、１ｕのいずれかを着用しようとする場合には、シール部材５０をシール台紙２７０に貼ることができる。このようにすることで、乳幼児は、シール図柄５６、７６、台紙図柄２６０、２８０を選択してシール部材５０を貼るという行為を楽しむことができる。
【００８４】
このとき、上述の動物園図柄６００の作成と同様に、シール部材５０ｓには、パトカーのシール図柄７６ｓが設けられているため、乳幼児は、「パトカーのちゅうしゃじょう」に該当する箇所にシール部材５０ｓを貼ることで、地図図柄（別所定図柄）を作成することができる。つまり、台紙図柄２８０に１つのシール図柄７６ｓを組み合わせることで、パトカーが１台増えた地図図柄とすることができる。
【００８５】
図１１は、地図図柄７００を説明する図である。図１１の地図図柄７００は、３つのシール部材５０ｓと、４つのシール部材５０ｔと、３つのシール部材５０ｕをシール台紙２７０に貼付して、３つのシール図柄７６ｓと、４つのシール図柄７６ｔと、３つのシール図柄７６ｕを台紙図柄２８０に組み合わせたものである。乳幼児は、地図図柄７００を見ることで、台紙図柄２８０に加えたシール図柄７６を見ることができるため、図柄を見て楽しむのと同時に、達成感を実感しやすくなる。
【００８６】
上述の実施形態においては、シール台紙２００の画像データをダウンロードして、紙等に印刷することでシール台紙２００を取得したがこれに限られない。例えば、パッケージ１００の中に、おむつ１とともにシール台紙２００を収容したり、複数のおむつ１を包装しているパッケージ１００の包装材１０１に台紙図柄２６０を印刷してシール台紙２００を設けたりする等、パッケージ１００にシール台紙２００を備えていてもよい。このようにすることで、乳幼児や保護者は、容易にシール台紙２００を手にすることができるため、シール台紙２００を準備する手間を軽減させることができる。
【００８７】
上述の実施形態においては、１枚のシール部材５０をテープ部材４０の第２層４０ｙに接着させ、第１層４０ｘと前後方向において同じ位置に設け、シール部材５０の他端とテープ部材４０の上端とが接触していない構成としたが、これに限られない。
【００８８】
図１２Ａは、おむつ１のＢ−Ｂ断面図に該当する部分の他の実施形態１を説明する図である。図１２Ａのように、テープ部材４０の一端とシール部材５０の他端が連続し、テープ部材４０とシール部材５０との間に、スリットＳを設けてもよい。具体的には、テープ本体４１とシール本体５１が同じ素材から形成され、テープ本体４１の一端とシール本体５１の他端がつながった状態となっており、テープ本体４１とシール本体５１との境には、少なくとも１つのスリットＳが設けられている。なお、スリットＳは、線状の貫通孔であってもよいし、テープ本体４１とシール本体５１の厚みを薄くした部分（切り込み）であってもよい。これによって、シール部材５０は、シール接着部５５による接着だけでなく、テープ部材４０とつながっているため、シール部材５０が不用意に分離してしまったりする恐れを軽減させることができる。なお、シール部材５０をテープ部材４０から分離する際には、シール把持部５２を掴んで、シール把持部５２を引っ張ることで、スリットＳの部分が切り取られて、容易にテープ部材４０からシール部材５０を分離させることができる。
【００８９】
図１２Ｂは、おむつ１のＢ−Ｂ断面図に該当する部分の他の実施形態２を説明する図である。図１２Ｂに示すように、シール部材５０をテープ部材４０の第１層４０ｘに接着させ、テープ部材４０よりも非肌側に設けていてもよい。つまり、テープ部材４０の第１層４０ｘとシール部材５０を前後方向において、必ずしも同じ位置に設ける必要はなく、シール部材５０をテープ部材４０よりも外側に設けてもよい。このようにすることで、テープ部材４０に備えることができるシール部材５０の大きさをより大きくすることができるため、シール部材５０の大きさや形状等のバリエーションを増やすことができる。
【００９０】
図１２Ｃは、おむつ１のＢ−Ｂ断面図に該当する部分の他の実施形態３を説明する図である。複数のシール部材５０ａ、５０ｂ、５０ｃを備え、おむつ１から分離された各シール部材５０ａ、５０ｂ、５０ｃは、それぞれシール台紙等に再接着可能であるものとしてもよい。各シール部材５０ａ、５０ｂ、５０ｃは、それぞれシール把持部５２ａ、５２ｂ、５２ｃとシール接着部５５ａ、５５ｂ、５５ｃを備え、シール接着部５５ｂ、５５ｃが、他のシール部材５０やテープ部材４０の何れかに接着されていてもよい。このとき、肌側から順に配置したシール部材５０ａ、５０ｂ、５０ｃのうち、シール部材５０ａは、テープ部材４０の第１層４０ｘの非肌側の面に接着している。シール部材５０ｂは、シール部材５０ａの非肌側の面に接着しており、シール部材５０ａより上下方向の長さが短い。シール部材５０ｃは、シール部材５０ｂの非肌側の面に接着しており、シール部材５０ｂより上下方向の長さが短い。このとき、シール部材５０ａ、５０ｂ、５０ｃの各シール図柄５６は、上述のようにぞう５６ａ、さる５６ｂ、うさぎ５６ｃであっても良いし、全て同じシール図柄５６であってもよい。
【００９１】
このように、複数のシール部材５０ａ、５０ｂ、５０ｃを備えることで、１つのおむつ１について、乳幼児等は、複数回シール部材５０を貼って楽しむことができる。例えば、乳幼児がおむつ１に排泄をすることなく、トイレで排泄をすることができた場合等、トイレトレーニングに成功した場合には、おむつ１を廃棄処理することなく、シール部材５０をご褒美として乳幼児に与えることができるため、１つのおむつ１について、複数回のトイレトレーニングを行うことも可能である。このように、乳幼児のトイレトレーニングに対する意欲をより向上させることができる。
【００９２】
なお、上述の実施形態においては、テープ部材４０のテープ本体４１が１本の連続した形状を有していたが、必ずしも連続している必要はない。図１３は、他の実施形態４を説明する図である。図１３に示すように、第１層４０ｘと第２層４０ｙと第３層４０ｚがそれぞれ分離したテープ本体４１を有し、第１層４０ｘと第２層４０ｙとの間、及び第２層４０ｙと第３層４０ｚとの間を剥離不能な接着剤等で接着していてもよい。複数のテープ本体４１を組み合わせることで、より容易にテープ部材４０を形成することができる。
【００９３】
上述の実施形態においては、腹側胴回り部２０と背側胴回り部３０と吸収性本体１０とを有する所謂３ピースタイプの使い捨ておむつ１について説明したがこれに限られない。例えば、腹側胴回り部２０と後胴回り３０とを繋いで一体化されたおむつ（所謂２ピースタイプ）にテープ部材４０及びシール部材５０を備えてもよい。この場合には、「吸収体」が「吸収性本体」に相当する。
【符号の説明】
【００９４】
１  おむつ（吸収性物品）、
１ａ  おむつ（第１吸収性物品）、
１ｂ  おむつ（第２吸収性物品）、
１ｃ  おむつ（第３吸収性物品）、
１０  吸収性本体、１１  吸収体、１２  外装シート、
２０  腹側胴回り部（胴回り部）、２２  弾性部材、
３０  背側胴回り部（胴回り部）、３１  シート部材、３２  弾性部材、
４０  テープ部材、４０ｅ  一端部、４０ｆ  他端部、
４１  テープ本体、４２  テープ把持部、４３  テープ把持部材、
４４  固定部、４５  テープ接着部、
５０  シール部材、５０ｅ  一端部、５０ｆ  他端部、
５１  シール本体、５２  シール把持部、５５  シール接着部（接着部）、
５６  シール図柄、５６ａ、５６ｂ、５６ｃ  シール図柄、
７６  シール図柄（別図柄）、７６ｓ、７６ｔ、７６ｕ  シール図柄（別図柄）
１００  パッケージ（吸収性物品のパッケージ）、１０１  包装材、
２００  シール台紙、
２６０  台紙図柄、
２６１  動物、２６１ａ  ぞう、２６１ｂ  さる、２６１ｃ  うさぎ、
２６１ｄ  サイ、２６１ｅ  ライオン、２６１ｆ  カバ、
２６２  入口、２６３  枠、
２７０  シール台紙、
２８０  台紙図柄、
６００  動物園図柄（所定図柄）、
６５０  動物園図柄（所定図柄）、
７００  地図図柄（別所定図柄）、
ＢＨ  胴回り開口部、ＬＨ  脚回り開口部、
Ｓ  スリット
【図１】
2019085128.tif 000003
【図２】
2019085128.tif 000004
【図３】
2019085128.tif 000005
【図４】
2019085128.tif 000006
【図５】
2019085128.tif 000007
【図６】
2019085128.tif 000008
【図７】
2019085128.tif 000009
【図８】
2019085128.tif 000010
【図９】
2019085128.tif 000011
【図１０】
2019085128.tif 000012
【図１１】
2019085128.tif 000013
【図１２】
2019085128.tif 000014
【図１３】
2019085128.tif 000015